(57)【要約】【課題】液晶ディスプレイを用いて立体映像を表示することが可能な立体映像表示装置、立体映像表示方法及び液晶ディスプレイを提供する。【解決手段】左眼用映像と右眼用映像とを時分割によりフレーム期間ごとに交互に表示する液晶ディスプレイ１０２と、左眼及び右眼を閉鎖及び開放する液晶シャッタＬ１０４と、液晶シャッタＲとを有するシャッタ眼鏡１１１と、液晶シャッタＬ１０４及び液晶シャッタＲの閉鎖及び開放を制御する液晶シャッタ制御部１０３とを備え、液晶シャッタ制御部１０３は、液晶ディスプレイ１０２が表示する左眼用映像及び右眼用映像の各フレーム期間の垂直ブランキング期間３０４のみ液晶シャッタＬ１０４及び液晶シャッタＲに左眼及び右眼を開放させるため、ユーザには右眼用映像と左眼用映像とが混在していない映像のみが表示され、液晶ディスプレイ１０２による立体映像表示が可能となる。【選択図】図８
2009152897.tif 000002
【特許請求の範囲】
【請求項１】
左眼用映像と右眼用映像とを時分割によりフレーム期間ごとに交互に表示する液晶ディスプレイと、
左眼を閉鎖及び開放する左眼用シャッタと、右眼を閉鎖及び開放する右眼用シャッタとを有するシャッタ眼鏡と、
を備え、
前記液晶ディスプレイが表示する前記左眼用映像及び前記右眼用映像のそれぞれの前記フレーム期間の内で、前記液晶ディスプレイの垂直ブランキング期間における前記左眼用映像及び前記右眼用映像のみが、前記左眼及び前記右眼のそれぞれに表示される、立体映像表示装置。
【請求項２】
前記シャッタ眼鏡の前記左眼用シャッタ及び前記右眼用シャッタの閉鎖及び開放をそれぞれ制御するシャッタ制御手段をさらに備え、
前記シャッタ制御手段は、前記液晶ディスプレイが表示する前記左眼用映像及び前記右眼用映像のそれぞれの前記フレーム期間の内で、前記液晶ディスプレイの垂直ブランキング期間のみ、前記シャッタ眼鏡の前記左眼シャッタ及び前記右眼シャッタに、前記左眼及び前記右眼のそれぞれを開放させる、請求項１に記載の立体映像表示装置。
【請求項３】
前記液晶ディスプレイのバックライトの点灯を制御するバックライト制御手段をさらに備え、
前記バックライト制御手段は、前記液晶ディスプレイが表示する前記左眼用映像及び前記右眼用映像のそれぞれの前記フレーム期間の内で、前記液晶ディスプレイの垂直ブランキング期間のみ、前記液晶ディスプレイの前記バックライトを点灯する、請求項１に記載の立体映像装置。
【請求項４】
液晶ディスプレイが、左眼用映像と右眼用映像とを時分割によりフレーム期間ごとに交互に表示し、
シャッタ眼鏡が、左眼用シャッタにより左眼を閉鎖及び開放し、右眼用シャッタにより右眼を閉鎖及び開放し、
前記液晶ディスプレイが表示する前記左眼用映像及び前記右眼用映像のそれぞれの前記フレーム期間の内で、前記液晶ディスプレイの垂直ブランキング期間における前記左眼用映像及び前記右眼用映像のみが、前記左眼及び前記右眼のそれぞれに表示される、立体映像表示方法。
【請求項５】
前記シャッタ眼鏡の前記左眼用シャッタ及び前記右眼用シャッタの閉鎖及び開放をそれぞれ制御するシャッタ制御手段が、前記液晶ディスプレイが表示する前記左眼用映像及び前記右眼用映像のそれぞれの前記フレーム期間の内で、前記液晶ディスプレイの垂直ブランキング期間のみ、前記シャッタ眼鏡の前記左眼シャッタ及び前記右眼シャッタに、前記左眼及び前記右眼のそれぞれを開放させる、請求項４に記載の立体映像表示方法。
【請求項６】
前記液晶ディスプレイのバックライトの点灯を制御するバックライト制御手段が、前記液晶ディスプレイが表示する前記左眼用映像及び前記右眼用映像のそれぞれの前記フレーム期間の内で、前記液晶ディスプレイの垂直ブランキング期間のみ、前記液晶ディスプレイの前記バックライトを点灯する、請求項４に記載の立体映像表示方法。
【請求項７】
左眼用映像と右眼用映像とを時分割によりフレーム期間ごとに交互に表示する液晶ディスプレイであって、
前記液晶ディスプレイが表示する前記左眼用映像及び前記右眼用映像のそれぞれの前記フレーム期間の内で、前記液晶ディスプレイの垂直ブランキング期間を示す信号を出力する垂直ブランキング期間出力手段を備えた液晶ディスプレイ。
【請求項８】
前記液晶ディスプレイのバックライトの点灯を制御するバックライト制御手段をさらに備え、
前記バックライト制御手段は、前記垂直ブランキング期間出力手段が出力する信号に基づいて、前記液晶ディスプレイが表示する前記左眼用映像及び前記右眼用映像のそれぞれの前記フレーム期間の内で、前記液晶ディスプレイの垂直ブランキング期間のみ、前記液晶ディスプレイの前記バックライトを点灯する、請求項７に記載の液晶ディスプレイ。
【発明の詳細な説明】
【技術分野】
【０００１】
本発明は立体映像表示装置、立体映像表示方法及び液晶ディスプレイに関し、特に、左眼用映像と右眼用映像とを時分割によりフレーム期間ごとに交互に表示する液晶ディスプレイと、左眼及び右眼をそれぞれ閉鎖及び開放する左眼用シャッタ及び右眼用シャッタを有するシャッタ眼鏡とからなる立体映像表示装置、立体映像表示方法、及びこれに用いられる液晶ディスプレイに関するものである。
【背景技術】
【０００２】
ブラウン管を用いて映像を表示するＣＲＴディスプレイによって、左眼用映像と右眼用映像とを時分割によりフレーム期間ごとに交互に表示し、ユーザが、左眼及び右眼をそれぞれ閉鎖及び開放する左眼用シャッタ及び右眼用シャッタを有するシャッタ眼鏡を着用することにより、ユーザに立体映像を表示する技術が提案されている。例えば、特許文献１には、この左眼用シャッタおよび右眼用シャッタを閉鎖状態に切りかえる時期を、フレーム期間が切替わる時期よりも早い時期に設定することにより、左眼用シャッタと右眼用シャッタとを同時に閉鎖状態とする同時閉鎖期間を、各フレーム期間の一部分に設け、これにより、画像表示装置の残像によるちらつきを抑制する技術が開示されている。
【特許文献１】特開２０００−４４５１号公報
【発明の開示】
【発明が解決しようとする課題】
【０００３】
ところで、映像を表示するディスプレイとしては、重量や設置面積がＣＲＴディスプレイよりも小さい液晶ディスプレイが普及している。ところが、上記のような技術をそのまま液晶ディスプレイを用いた装置に適用したとしても、ユーザには左眼用映像と右眼用映像とが混在した映像が表示されることになり、ＣＲＴディスプレイを用いたときのような立体映像をユーザに表示することができない。そのため、液晶ディスプレイにおいても、立体映像をユーザに表示することが可能な技術が望まれている。
【０００４】
本発明は、かかる事情に鑑みてなされたものであり、その目的は、液晶ディスプレイを用いて立体映像を表示することが可能な立体映像表示装置、立体映像表示方法及び液晶ディスプレイを提供することにある。
【課題を解決するための手段】
【０００５】
本発明は、左眼用映像と右眼用映像とを時分割によりフレーム期間ごとに交互に表示する液晶ディスプレイと、左眼を閉鎖及び開放する左眼用シャッタと、右眼を閉鎖及び開放する右眼用シャッタとを有するシャッタ眼鏡と、を備え、液晶ディスプレイが表示する左眼用映像及び右眼用映像のそれぞれのフレーム期間の内で、液晶ディスプレイの垂直ブランキング期間における左眼用映像及び右眼用映像のみが、左眼及び右眼のそれぞれに表示される、立体映像表示装置である。
【０００６】
また本発明は、液晶ディスプレイが、左眼用映像と右眼用映像とを時分割によりフレーム期間ごとに交互に表示し、シャッタ眼鏡が、左眼用シャッタにより左眼を閉鎖及び開放し、右眼用シャッタにより右眼を閉鎖及び開放し、液晶ディスプレイが表示する左眼用映像及び右眼用映像のそれぞれのフレーム期間の内で、液晶ディスプレイの垂直ブランキング期間における左眼用映像及び右眼用映像のみが、左眼及び右眼のそれぞれに表示される、立体映像表示方法である。
【０００７】
さらに本発明は、左眼用映像と右眼用映像とを時分割によりフレーム期間ごとに交互に表示する液晶ディスプレイであって、液晶ディスプレイが表示する左眼用映像及び右眼用映像のそれぞれのフレーム期間の内で、液晶ディスプレイの垂直ブランキング期間を示す信号を出力する垂直ブランキング期間出力手段を備えた液晶ディスプレイである。
【発明の効果】
【０００８】
本発明の立体映像表示装置、立体映像表示方法及び液晶ディスプレイによれば、液晶ディスプレイを用いて立体映像を表示することが可能となる。
【発明を実施するための最良の形態】
【０００９】
以下、本発明の実施の形態に係る立体映像表示装置、立体映像表示方法及び液晶ディスプレイについて添付図面を参照して説明する。
【００１０】
図１及び図２は、第１実施形態に係る立体映像表示装置の構成例を示す図であり、それぞれ液晶シャッタＬ、液晶シャッタＲを閉鎖している状態を示す図である。本実施形態の立体映像表示装置は、液晶ディスプレイによって、左眼用映像と右眼用映像とを時分割によりフレーム期間ごとに交互に表示し、ユーザが、左眼及び右眼をそれぞれ閉鎖及び開放する左眼用シャッタ及び右眼用シャッタを有するシャッタ眼鏡を着用することにより、ユーザに立体映像を表示するためのものである。
【００１１】
図１及び図２に示すように、本実施形態の立体映像表示装置は、映像データ出力装置（バックライト制御手段、垂直ブランキング期間出力手段）１０１、液晶ディスプレイ１０２、液晶シャッタ制御部（シャッタ制御手段）１０３、及びシャッタ眼鏡１１１を備えている。シャッタ眼鏡１１１は、液晶シャッタＬ（左眼用シャッタ）１０４、液晶シャッタＲ（右眼用シャッタ）１０５を有している。
【００１２】
映像データ出力装置１０１は、液晶ディスプレイ１０２から映像出力するフレームデータ１０６を液晶ディスプレイ１０２に送り出す装置である。本実施形態では、映像データ出力装置１０１は、左眼用の映像データ、右眼用の映像データを順番に送出する。映像データ出力装置１０１は、同時にフレームのステータスを知らせるフレーム制御信号１０７を出力する。さらに、映像データ出力装置１０１は、液晶ディスプレイ１０２のバックライトの点灯を制御するバックライト制御信号１１０を液晶ディスプレイ１０２に送出する。加えて、映像データ出力装置１０１は、液晶シャッタ制御部１０３に対し、後述する液晶ディスプレイのフレーム期間が映像に重なりが生じる期間と垂直ブランキング期間を指定するためのデータを送出する。
【００１３】
液晶ディスプレイ１０２は、映像データ出力装置１０１より出力されたフレームデータ１０６を映像として出力する装置である。
【００１４】
液晶シャッタ制御部１０３は、液晶シャッタＬ１０４、液晶シャッタＲ１０５を、それぞれ液晶シャッタＬ制御信号１０８及び液晶シャッタＲ制御信号１０９により、それらのＯＰＥＮ／ＣＬＯＳＥを制御する。図１では、液晶シャッタＲ１０５がＯＰＥＮであり（開放）、液晶シャッタＬがＣＬＯＳＥである（閉鎖）状態を示している。一方、図２では、液晶シャッタＬ１０４がＯＰＥＮであり（開放）、液晶シャッタＲがＣＬＯＳＥである（閉鎖）状態を示している。
【００１５】
シャッタ眼鏡１１１の液晶シャッタＬ１０４は、シャッタ眼鏡の左側のレンズとして使用されるためのものである。シャッタ状態がＯＰＥＮのときには、ユーザの左眼には、液晶ディスプレイ１０２の表示映像が見えるが、シャッタ状態がＣＬＯＳＥのときには何も見えないようになっている。
【００１６】
シャッタ眼鏡１１１の液晶シャッタＲ１０５は、シャッタ眼鏡の右側のレンズとして使用されるためのものである。シャッタ状態がＯＰＥＮのときには、ユーザの右眼には、液晶ディスプレイ１０２の表示映像が見えるが、シャッタ状態がＣＬＯＳＥのときには何も見えないようになっている。
【００１７】
図３は、フレームデータ及び各制御信号を示すタイミングチャートである。フレームデータ１０６は、液晶ディスプレイ１０２に出力する映像データである。本実子形態において、映像データ出力装置１０１は、右眼用の映像、左目用の映像を順番に送り出す。
【００１８】
フレーム制御信号１０７は、フレームデータ１０６のステータスを示すものである。図３に示すように、本実施形態においては、映像データ出力装置１０１は、左眼用のフレームデータ１０６の出力時にフレーム制御信号１０７＝Ｌを出力し、右目用のフレームデータ１０６の出力時にフレーム制御信号１０７＝Ｈを出力する。
【００１９】
液晶シャッタＬ制御信号１０８は、液晶シャッタＬ１０４のＯＰＥＮ／ＣＬＯＳＥを制御するための信号である。液晶シャッタＲ制御信号１０９は、液晶シャッタＲ１０５のＯＰＥＮ／ＣＬＯＳＥを制御するための信号である。これらの信号パターンについては後述する。
【００２０】
バックライト制御信号１１０は、液晶ディスプレイ１０２のバックライトを制御する信号である。バックライト制御信号１１０は、Ｈのときバックライト点灯を示し、Ｌのときバックライト消灯を示す。本実施形態においては、液晶ディスプレイ１０２の使用中はバックライトが点灯されるため、映像データ出力装置１０１は、バックライト制御信号１１０＝Ｈを出力し続ける。
【００２１】
なお、本実施形態の立体映像表示装置は、パーソナルコンピュータにて実施することが可能であり、この場合、映像データ出力装置１０１はパーソナルコンピュータであり、液晶ディスプレイ１０２は液晶モニタであり、液晶シャッタ制御部１０３は外付けの機器として構成される。この場合、立体的なＣＡＤ（Computer  Aided  Design）データ等をユーザは視ることができる。ただし、一般的な液晶モニタはフレームレータが６０Ｈｚのものが多いことに留意する必要がある。
【００２２】
一方、本実施形態の立体映像表示装置は、液晶テレビジョンにて実施することも可能であり、この場合、映像データ出力装置１０１は液晶テレビジョン内部の映像出力部であり、液晶ディスプレイ１０２は液晶テレビジョン内部の液晶パネルであり、液晶シャッタ制御部１０３は外付けの機器として構成される。この場合、立体視可能なソフトウェアの視聴を現行の家庭用テレビジョンで実現することが可能となる。
【００２３】
以下、本実施形態の立体映像表示装置の動作について説明する。本実施形態では、映像データ出力装置１０１よりフレームデータ１０６とフレーム制御信号１０７を出力する。フレームデータ１０６は、右眼用の映像、左眼用の映像を順番に送り出す。液晶ディスプレイ１０２は、フレームデータ１０６を受け取ることで映像を出力する。液晶シャッタ制御部１０３はフレーム制御信号１０７を元に、液晶シャッタＬ１０４、液晶シャッタＲ１０５のＯＰＥＮ／ＣＬＯＳＥを制御する。液晶シャッタ制御部１０３は、液晶ディスプレイ１０２に右眼用の映像が出ているときには液晶シャッタＲ１０５をＯＰＥＮ（液晶シャッタＬ１０４をＣＬＯＳＥ）、左眼用の映像が出ているときには液晶シャッタＬ１０４をＯＰＥＮ（液晶シャッタＲ１０５をＣＬＯＳＥ）する。
【００２４】
基本的には、上記のような制御により立体映像を表示することができるようになるが、液晶ディスプレイにおける映像には、ＣＲＴディスプレイには無い液晶ディスプレイ特有のフレーム期間ごとの映像の「遅延」により、フレームごとの映像に絵の重なりが発生する。図４は、従来方法における液晶ディスプレイでの立体映像表示の問題点を示す図である。図４に示すように、実際の液晶ディスプレイのフレーム期間ごとの映像には、あるフレーム期間の映像（例えば、左眼用映像Ｌｅｆｔ１）を、その次のフレーム期間の映像（例えば右眼用映像Ｒｉｇｈｔ１）に描きかえるまでに、フレーム期間同士の映像に重複期間（絵の重なりが目立つ期間）３０１，３０２，３０３が存在する。このため、単にフレーム期間ごとに左眼用シャッタ及び右眼用シャッタを交互に開閉しているだけでは、図４に示すように、ユーザには、右眼用映像と左眼用映像とが重なった表示映像５００が目に入ってしまい、立体視することができない。
【００２５】
図５は、液晶ディスプレイにおける垂直同期信号ＶＳＹＮＣと垂直ブランキング期間との関係を示す図である。図５に示すように、実際の液晶ディスプレイの各々のフレーム期間には、垂直同期信号ＶＳＹＮＣに従って、実際に画素データを送り出している期間である重複期間３０１，３０２，３０３と、次のフレーム期間の開始まで画素データの送出を中止している期間である垂直ブランキング期間３０４が存在する。当該垂直ブランキング期間３０４においては、各々同士の画像が混在していない左眼用映像及び右眼用映像のみが表示されることになる。そこで、本実施形態においては、絵の重複期間３０１，３０２，３０３では、液晶シャッタＬ１０４、液晶シャッタＲ１０５を両方ＣＬＯＳＥする制御を行う。さらに本実施形態では、液晶シャッタＬ１０４、液晶シャッタＲ１０５をそれぞれＯＰＥＮにする期間を、立体視コンテンツを表示する液晶ディスプレイ１０２の垂直ブランキング期間３０４とする。
【００２６】
なお、重複期間３０１，３０２，３０３は、液晶ディスプレイ１０２によって異なる値のため、液晶シャッタ制御部１０３は、映像データ出力装置１０１より、重複期間３０１，３０２，３０３を指定するためのデータを入力され、液晶シャッタＬ制御信号１０８、液晶シャッタＲ制御信号１０９を生成する。
【００２７】
図６は、映像データ出力装置１０１のフレームデータ１０６とフレームデータ制御信号１０７生成の手順を示すフロー図である。図６に示すように、映像データ出力装置１０１は、右眼用の映像データをフレームデータ１０６として出力する（Ｓ１０１）。映像データ出力装置１０１は、フレームデータ右眼用のフレームデータ１０６よりフレーム制御信号１０７＝Ｈを出力する（Ｓ１０２）。映像データ出力装置１０１は、左眼用の映像データをフレームデータ１０６として出力する（Ｓ１０３）。映像データ出力装置１０１は、左眼用のフレームデータ１０６よりフレーム制御信号１０７＝Ｌを出力する（Ｓ１０４）。以降、同様の制御がフレームデータの送出の終了まで繰り返される（Ｓ１０５）。
【００２８】
図７は、液晶シャッタ制御部における液晶シャッタＬ制御信号及び液晶シャッタ制御信号Ｒ生成の手順を示すフロー図であり、図８は、第１実施形態における液晶シャッタの制御方式を示すタイミングチャートである。図７及び図８に示すように、液晶シャッタ制御部１０３は、液晶シャッタＬ１０４及び液晶シャッタＲ１０５の両方を閉鎖する、液晶シャッタＬ制御信号１０８＝Ｌ、液晶シャッタＲ制御信号１０９＝Ｌを出力する（Ｓ２０１）、フレームデータの送出が終了していない場合は（Ｓ２０２）、液晶シャッタ制御部１０３は、映像データ出力装置１０１よりフレーム制御信号１０７を受信する（Ｓ２０３）。ここで、フレーム期間の内で、図４に示すような液晶ディスプレイ１０２において絵の重なりが目立つ期間である重複期間３０１，３０２，３０３であるときは、液晶シャッタ制御部１０３は、液晶シャッタＬ１０４及び液晶シャッタＲ１０５の両方を閉鎖する、液晶シャッタＬ制御信号１０８＝Ｌ、液晶シャッタＲ制御信号１０９＝Ｌを出力し続ける（Ｓ２０４）。
【００２９】
一方、フレーム期間の内で、図４に示すような液晶ディスプレイ１０２において絵の重なりが目立つ期間ではない垂直ブランキング期間３０４であるときは（Ｓ２０４）、フレーム制御信号１０７＝Ｌであるときは、液晶シャッタ制御部１０３は、液晶シャッタＬ１０４を開放し液晶シャッタＲ１０５を閉鎖する、液晶シャッタＬ制御信号１０８＝Ｈ、液晶シャッタＲ制御信号１０９＝Ｌを出力する（Ｓ２０５）。また、フレーム制御信号１０７＝Ｈであるときは、液晶シャッタ制御部１０３は、液晶シャッタＬ１０４を閉鎖し液晶シャッタＲ１０５を開放する、液晶シャッタＬ制御信号１０８＝Ｌ、液晶シャッタＲ制御信号１０９＝Ｈを出力する（Ｓ２０５）。この動作は、液晶シャッタ制御部１０３が、フレーム制御信号１０７の切り替わりを検知するまで継続される（Ｓ１０８）。
【００３０】
以上のようにして、本実施形態では、図８に示すように、左眼用映像と右眼用映像とを時分割によりフレーム期間ごとに交互に表示する液晶ディスプレイ１０２と、左眼を閉鎖及び開放する液晶シャッタＬ１０４と、右眼を閉鎖及び開放する液晶シャッタＲとを有するシャッタ眼鏡１１１と、シャッタ眼鏡１１１の液晶シャッタＬ１０４及び液晶シャッタＲの閉鎖及び開放をそれぞれ制御する液晶シャッタ制御部１０３とを備えた立体映像表示装置おいて、液晶シャッタ制御部１０３は、液晶ディスプレイ１０２が表示する左眼用映像及び右眼用映像のそれぞれのフレーム期間の内で、液晶ディスプレイ１０２の垂直ブランキング期間３０４のみ、シャッタ眼鏡１１１の液晶シャッタＬ１０４及び液晶シャッタＲに、左眼及び右眼のそれぞれを開放させるため、ユーザには、右眼用映像と左眼用映像とが混在していない左眼用映像及び右眼用映像のみが表示され、液晶ディスプレイ１０２による立体映像表示が可能となる。
【００３１】
以下、本実施形態の第２実施形態について説明する。本実施形態では、液晶ディスプレイに特有の遅延で発生する絵の重なる期間である重複期間３０１，３０２，３０３の映像がユーザの眼に入ることを避けることを目的として、映像データ出力装置１０１が出力するバックライト制御信号１１１により、重複期間３０１，３０２，３０３の間、液晶ディスプレイ１０２のバックライトをＯＦＦにする（垂直ブランキング期間３０４の間のみ、液晶ディスプレイ１０２のバックライトをＯＮにする）ことで、重なった絵の表示映像５００がユーザの眼に入らないように制御する。
【００３２】
図９は、第２実施形態における映像データ出力装置のバックライト制御信号生成の手順を示すフロー図であり、図１０は、第２実施形態におけるバックライトの制御方式を示すタイミングチャートである。図９及び図１０に示すように、図７及び図８に示すように、映像データ出力装置１０１は、液晶ディスプレイ１０２のバックライトをＯＮにするバックライト制御信号１１０＝Ｈを液晶ディスプレイ１０２に対して出力する（Ｓ３０１）。
【００３３】
フレームデータの送出が終了していない場合であって（Ｓ３０２）、図４に示すような液晶ディスプレイ１０２において絵の重なりが目立つ期間である重複期間３０１，３０２，３０３であるときは（Ｓ３０３）、映像データ出力装置１０１は、液晶ディスプレイ１０２のバックライトをＯＦＦにするバックライト制御信号１１０＝Ｌを液晶ディスプレイ１０２に対して出力する（Ｓ３０４）。一方、フレーム期間の内で、図４に示すような液晶ディスプレイ１０２において絵の重なりが目立つ期間ではない垂直ブランキング期間３０４であるときは（Ｓ３０３）、映像データ出力装置１０１は、液晶ディスプレイ１０２のバックライトをＯＮにするバックライト制御信号１１０＝Ｈを液晶ディスプレイ１０２に対して出力し続ける（Ｓ３０１）。
【００３４】
本実施形態においては、図８に示すように、左眼用映像と右眼用映像とを時分割によりフレーム期間ごとに交互に表示する液晶ディスプレイ１０２と、左眼を閉鎖及び開放する液晶シャッタＬ１０４と、右眼を閉鎖及び開放する液晶シャッタＲとを有するシャッタ眼鏡１１１と、液晶ディスプレイ１０２のバックライトの点灯を制御する映像データ出力装置１０１とを備えた立体映像表示装置において、映像データ出力装置１０１は、液晶ディスプレイ１０２が表示する左眼用映像及び右眼用映像のそれぞれのフレーム期間の内で、液晶ディスプレイ１０２の垂直ブランキング期間３０４のみ、液晶ディスプレイ１０２のバックライトを点灯するため、右眼用映像と左眼用映像とが混在していない左眼用映像及び右眼用映像のみが表示され、液晶ディスプレイ１０２による立体映像表示が可能となる。
【００３５】
以上、本発明の実施の形態について説明したが、本発明は、上記実施形態に限定されるものではなく種々の変形が可能である。
【図面の簡単な説明】
【００３６】
【図１】第１実施形態に係る立体映像表示装置の構成例を示す図であり、液晶シャッタＬを閉鎖している状態を示す図である。
【図２】第１実施形態に係る立体映像表示装置の構成例を示す図であり、液晶シャッタＲを閉鎖している状態を示す図である。
【図３】フレームデータ及び各制御信号を示すタイミングチャートである。
【図４】従来方法における液晶ディスプレイでの立体映像表示の問題点を示す図である。
【図５】液晶ディスプレイにおける垂直同期信号ＶＳＹＮＣと垂直ブランキング期間との関係を示す図である。
【図６】映像データ出力装置のフレームデータとフレームデータ制御信号生成の手順を示すフロー図である。
【図７】液晶シャッタ制御部における液晶シャッタＬ制御信号及び液晶シャッタ制御信号Ｒ生成の手順を示すフロー図である。
【図８】第１実施形態における液晶シャッタの制御方式を示すタイミングチャートである。
【図９】第２実施形態における映像データ出力装置のバックライト制御信号生成の手順を示すフロー図である。
【図１０】第２実施形態におけるバックライトの制御方式を示すタイミングチャートである。
【符号の説明】
【００３７】
１０１…映像データ出力装置、１０２…液晶ディスプレイ、１０３…液晶シャッタ制御部、１０４…液晶シャッタＬ、１０５…液晶シャッタＲ、１０６…フレームデータ、１０７…フレーム制御信号、１０８…液晶シャッタＬ制御信号、１０９…液晶シャッタＲ制御信号、１１０…バックライト制御信号、１１１…シャッタ眼鏡、３０１，３０２，３０３…重複期間、３０４…垂直ブランキング期間、５００…表示映像。
【図１】
2009152897.tif 000003
【図２】
2009152897.tif 000004
【図３】
2009152897.tif 000005
【図４】
2009152897.tif 000006
【図５】
2009152897.tif 000007
【図６】
2009152897.tif 000008
【図７】
2009152897.tif 000009
【図８】
2009152897.tif 000010
【図９】
2009152897.tif 000011
【図１０】
2009152897.tif 000012